(57)【要約】      （修正有）【課題】ホースの口径が異なっても、少数のホース固定具で対応でき、かつゴム材の装着も簡単に迅速に製造することができるホース固定具を提供する。【解決手段】受け材５と押さえ材３との間隔を調節可能に受け材５を上下に移動可能に受け材５を支持する固定台２に取り付けて、ホースやノズル等の口径が異なっても、ホース６やノズルを受け材５と押さえ材３との間に挿入して所定位置に固定できるものである。また、受け材５と押さえ材３に天然ゴムや合成ゴムの軟質材１７を塗着して被覆し、さらに固着具１に高さ調節台１３を設けて、固定台２を所要の高さに調節可能とすることができる。【選択図】図１
0003176678.tif 000002
【実用新案登録請求の範囲】
【請求項１】
ホースやノズルを受け材と押さえ材との間に挿入して所定位置に固定するホース等の固定具であって、上記受け材と押さえ材との間隔を調節可能に受け材を上下に移動可能に受け材を支持する固定台に取り付けたことを特徴とするホース等の固定具。
【請求項２】
受け材に上下調節棒を下方側に突き出して受け材を上下に移動可能に取り付けた請求項１に記載のホース等の固定具。
【請求項３】
受け材と押さえ材に天然ゴムや合成ゴムの軟質材を塗着して被覆した請求項１または２に記載のホース等の固定具。
【請求項４】
固定台に高さ調節台を設けて、固定台を所要の高さに調節可能に形成した請求項１ないし３のいずれかに記載のホース等の固定具。
【請求項５】
ホースやノズルが消防車またはタンクローリー車若しくはバキュームカーのものである請求項１ないし４のいずれかに記載のホース等の固定具。
【考案の詳細な説明】
【技術分野】
【０００１】
本考案は、流体移送分野における消防車、タンクローリー車、バキュームカー等のホース等の固定具に関するものである。
【背景技術】
【０００２】
従来、消防車は、その放水容量によって５０〜８５ｍｍ等の口径が異なるホースを装着して使用している。そのホースとして、口径が５０〜８５ｍｍ等での所要のものについて、これらにそれぞれ対応したホース等の固定具を使用してホース、ノズルを挿入して固定するようにしている。
【０００３】
そのため、５〜８種類といった多様なホース口径に対応するホース等の固定具を製造して使用していて、多様な構成部品が必要となり、複雑となるものであった。
【０００４】
また、上記ホース等の固定具には、ホースを上下に対向した受け材と押さえ材との間に挿入して固定するため、この受け材と押さえ材との対向面にゴム材を貼り付けてすべり防止、緩衝、損傷防止をはかるようにしている。
【０００５】
しかし、受け材や押さえ材にゴム材を貼り付けるのに接着剤で接合して、複数個所を孔開けしてかしめ、仕上げ加工しなければならなく、簡単かつ迅速に製造できるものでなかった。
【考案の開示】
【考案が解決しようとする課題】
【０００６】
そのため、ホースの口径が異なっても、少数のホース固定具で対応でき、かつゴム材の装着も簡単に迅速に製造することができるホース固定具を開発するのが課題であった。
【課題を解決するための手段】
【０００７】
本考案は、上記のような点に鑑みたもので、上記の課題を解決するために、ホースやノズルを受け材と押さえ材との間に挿入して所定位置に固定するホース等の固定具であって、上記受け材と押さえ材との間隔を調節可能に受け材を上下に移動可能に受け材を支持する固定台に取り付けたことを特徴とするホース等の固定具をを提供するものである。
【０００８】
また、受け材に上下調節棒を下方側に突き出して受け材を上下に移動可能に取り付けたことを特徴とするホース等の固定具を提供するものである。
【０００９】
さらに、受け材と押さえ材に天然ゴムや合成ゴムの軟質材を塗着して被覆したことを特徴とするホース等の固定具を提供するものである。
【００１０】
さらに、固定台に高さ調節台を設けて、固定台を所要の高さに調節可能に形成したことを特徴とするホース等の固定具を提供するものである。
【００１１】
さらにまた、ホースやノズルが消防車またはタンクローリー車若しくはバキュームカーのものであることを特徴とするホース等の固定具を提供するものである。
【考案の効果】
【００１２】
本考案のホース等の固定具は、実用新案登録請求の範囲の請求項１のように、ホースやノズルを受け材と押さえ材との間に挿入して所定位置に固定するホース等の固定具であって、上記受け材と押さえ材との間隔を調節可能に受け材を上下に移動可能に受け材を支持する固定台に取り付けたことによって、口径の異なるホースやノズルであっても、受け材を上下に移動調節できて挿着でき、多様なホース等の固定具を用意する必要がなくなり、製造や製品管理が容易になる。
【００１３】
また、上記請求項２のように、受け材に上下調節棒を下方側に突き出して受け材を上下に移動可能に取り付けたことによって、受け材を上下調節棒の移動調節で所要の口径のホース、ノズルを固定具に挿着して固定することができる。
【００１４】
さらに、上記請求項３のように、受け材と押さえ材に天然ゴムや合成ゴムの軟質材を塗着して被覆したことによって、受け材、押さえ材に天然ゴムや合成ゴムの軟質材を簡単に被覆できて、すべり防止、緩衝、損傷防止をはかることができる。
【００１５】
さらに、上記請求項４のように、固定台に高さ調節台を設けて、固定台を所要の高さに調節可能に形成したことによって、装着対象に対応して固定具を所要の高さに調節して簡単に固定することができる。
【００１６】
またさらに、上記請求項５のように、ホースやノズルが消防車またはタンクローリー車若しくはバキュームカーのものであることによって、これらに対して上記のように口径の異なるホースやノズルであっても、多様なホース等の固定具を用意する必要がなくなり、適正に固定できて使用することができる。
【図面の簡単な説明】
【００１７】
【図１】本考案の一実施例の正面図、
【図２】同上の受け材を上方に移動した状態の正面図、
【図３】同上の押さえ材の正面図、
【図４】同上の受け材の正面図、
【図５】同上の上下高さ調節台部の正面図。
【考案を実施するための形態】
【００１８】
本考案のホース等の固定具は、ホースやノズルを受け材と押さえ材との間に挿入して所定位置に固定するホース等の固定具であって、上記受け材と押さえ材との間隔を調節可能に受け材を上下に移動可能に受け材を支持する固定台に取り付けたことを特徴としている。
【００１９】
ホース等の固定具１は、図１のように消防車等のホースやノズル固定用で、３０〜５０ｍｍ幅の固定台２に押さえ材３を蝶番４で上方方向に旋回可能に装着し、固定台２の内側に押さえ材３に対向して受け材５を上下方向に移動可能に支持して取り付け、５０〜８５ｍｍ等の口径のホース６やノズルに対応して図２のように受け材５を移動させて適正に固定できるようにしている。
【００２０】
固定台２は、図１、図２のように上面側を谷状等に凹ませたほぼ凹状の形状としていて、その一側部に蝶番４を取り付けて押さえ材３を連結し、その他側部にフック７を取り付け、押さえ材３の他側部に取り付けたワンタッチ式の開閉の係止具８を係脱可能に係止するようにしている。
【００２１】
そして、この固定台２の谷状等に凹ませた中央部に挿入孔９を開孔し、受け材５の中央部に上下調節棒１０を下方側に突き出し、この上下調節棒１０を上下に移動可能に上記挿入孔９に挿入し、六角ナットや蝶ねじ等の締付具１１で所要の高さに固定できるようにしている。
【００２２】
また、固定台２は、その下側に図１のように両側に摺動ガイド１２をそれぞれ設けたコ字を横転した形状の高さ調節台１３に嵌入して接合し、固定台２の両側部を両側の摺動ガイド１２に上下方向に摺動自在として所要の高さに調節ねじ１４で固定するようにしている。
【００２３】
押さえ材３は、図１、図２、図３のように中央部を上方へ半径２０〜５０ｍｍ等の曲率で折曲した山形状等としていて、上記したようにその一側部に蝶番４を取り付けて固定台２と連結し、その他側部にワンタッチ式の開閉の係止具８を取り付けて、固定台２のフック７に係脱可能に係止している。
【００２４】
受け材５は、図１、図２、図４のように中央部を谷状等に凹ませて、その両側を押さえ材３の両側とほぼ対称状の斜め状の受け面１５とし、上記のように固定台２の谷状等に凹ませた中央部の凹部１６に開孔した挿入孔９に上下調節棒１０を挿入し、六角ナットや蝶ねじ等の締付具１１で所要の高さに固定できるようにしている。
【００２５】
上記押さえ材３、受け材５には、イソプレン、ポリイソプレン等の天然ゴムやブチルゴム、ニトリルゴム、ウレタンゴム等の合成ゴムの軟質材１７の漬浸層（図示せず）等に漬浸して天然ゴムや合成ゴムの軟質材１７を１〜３ｍｍの所定の厚さに塗着して被覆し、すべり防止、緩衝、損傷防止をはかれるようにしている。
【００２６】
このように押さえ材３と受け材５との間隔を調節可能に受け材５を上下に移動可能に取り付けたので、口径の異なるホース６やノズルに対しても、受け材５を上下に移動調節して挿入して固定することができる。
【００２７】
また、押さえ材３と受け材５に天然ゴムや合成ゴムの軟質材１７を塗着して被覆したので、押さえ材３、受け材５に天然ゴムや合成ゴムの軟質材１７を簡単に被覆できて、すべり防止、緩衝、損傷防止をはかることができる。
【００２８】
さらに、固定台２は、高さ調節台１３の摺動ガイド１２に上下方向に摺動自在としたので、固定台２を所要の高さに調節できて、装着対象に対応して所要の高さに調節して固定することができる。
【実施例】
【００２９】
図１以下は、本考案の実施例を示すもので、消防車用のホース６、ノズルに対応したものである。ホース等の固定具１は、全般的に鉄鋼材をメッキして形成していて、図１のように上面側を谷状に凹ませたほぼ凹状の枠状に折曲して形成した３０ｍｍ幅の固定台２に、中央部を上方へ半径２０〜５０ｍｍの曲率の山形状とした押さえ材３の一側部に蝶番４を取り付けて連結し、押さえ材３を上方方向に旋回可能に装着し、固定台２の他側部にフック７を取り付けるとともに押さえ材３の他側部にワンタッチ式の開閉の係止具８を取り付けて係脱可能に形成したものである。
【００３０】
そして、この固定台２の内側に、図１のように中央部が谷状に凹ませてその両側を押さえ材３の両側とほぼ対称状の斜め状の受け面１５とした受け材５を押さえ材３に対向して支持し、受け材５の中央部に上下調節棒１０を下方側に突き出し六角ナットの締付具１１で所要の高さに固定できるようにしている。
【００３１】
上記受け材５の上下調節棒１０は、固定台２の谷状に凹ませた中央部に開孔した挿入孔９に挿入して下方側に突き出し、５０〜８５ｍｍ等の口径のホース６やノズルを受け材５と押さえ材３の間に挿入して固定するようにしている。
【００３２】
また、固定台２は、その下側に図１のように両側に摺動ガイド１２をそれぞれ設けたコ字を横転した形状の高さ調節台１３に嵌入して接合し、摺動ガイド１２にそって上下方向に摺動自在として所要の高さに調節ねじ１４で固定するようにしている。
【００３３】
上記押さえ材３、受け材５は、ウレタンゴムの合成ゴムの軟質材１７の漬浸層に漬浸してウレタンゴムの合成ゴムの軟質材１７を１ｍｍの厚さに塗着して被覆し、すべり防止、緩衝、損傷防止をはかれるようにしている。
【００３４】
このように押さえ材３と受け材５との間隔を調節可能に受け材５を上下に移動可能に固定台２に取り付けたので、大径のホース６に対して図１のように受け材５を下方に移動して固定し、小径のホース６に対して図２のように受け材５を上方に移動して固定し、消防車の口径の異なるホース６やノズルであっても、受け材５を上下に移動調節して挿入して固定することができる。したがって、多様なホース等の固定具を用意する必要がなくなり、１個のホース等の固定具１で対応できて、製造や製品管理が容易になる。
【００３５】
また、押さえ材３と受け材５にウレタンゴムの合成ゴムの軟質材１７を塗着して被覆したので、押さえ材３、受け材５にウレタンゴムの合成ゴムの軟質材１７を簡単に被覆できて、すべり防止、緩衝、損傷防止をはかることができる。
【００３６】
さらに、固着台２は、高さ調節台１３に嵌入して、上下方向に摺動自在としてので、固定台２を所要の高さに調節できて、装着対象に対応して所要の高さに調節して固定することができる。
【００３７】
以上では、１個のホース等の固定具１で対応するようにしたが、口径の範囲に対して最小限の数量で対応するようにもでき、また消防車について説明したが、タンクローリー車、バキューム、その他ホースを固定する装置にも適用可能であり、さらに押さえ材、受け材は上記した形状に限定されなく、固定台や受け材の高さ調節手段についても、リンク機構やカム機構等を利用するなど、その他の手段も採択可能で、本考案の趣旨のもとづいて適宜の変形した実施態様を採択できるものである。
【産業上の利用可能性】
【００３８】
本考案は、消防車、タンクローリー車、バキュームカー、その他の口径の異なるホース等の、多様なホース等の固定具を必要とするホース固定手段に広く利用可能である。
【符号の説明】
【００３９】
１…ホース等の固定具    ２…固定台      ３…押さえ材        ４…蝶番
５…受け材              ６…ホース    １０…上下調節棒    １１…高さ調節台
【図１】
0003176678.tif 000003
【図２】
0003176678.tif 000004
【図３】
0003176678.tif 000005
【図４】
0003176678.tif 000006
【図５】
0003176678.tif 000007